(57)【要約】  データパケット信号受信機の感度を測定する方法が、データパケット信号の既定の制御されたシーケンスの受信されたデータパケット信号の、電力レベル若しくは変調又は両方を変化させることによって提供される。特に、感度レベルを測定する方法の１つとしては、第１  ＤＰＳ受信機及び第２  ＤＰＳ受信機により、データパケットの群を含むデータパケットの単一の送信を受信する工程と、複数のデータパケット信号の受信された第１及び第２部分から、上記ＤＰＳ受信機の適切に受信されたデータパケット信号の第１累積数を計算する工程と、複数のデータパケット信号の上記受信された第１及び第２部分から、上記前記第２  ＤＰＳ受信機の適切に受信されたデータパケット信号の第２累積数を計算する工程と、前記第１  ＤＰＳ受信機及び前記第２  ＤＰＳ受信機の予測されるＰＥＲを決定する工程とを含む。
2015520547.tif 000002
【特許請求の範囲】
【請求項１】
第１及び第２データパケット信号（ＤＰＳ）受信機それぞれの感度レベルを測定する方法であって、ここで各受信機は予測されるパケットエラー率（ＰＥＲ）対データパケット信号電力レベルにより画定される感度特性を有し、前記方法は、
前記第１  ＤＰＳ受信機及び前記第２  ＤＰＳ受信により、データパケットの群を含むデータパケット信号の単一の送信を受信する工程と、ここで前記複数のデータパケット信号の第１及び第２部分は、対応して既定の電力レベルよりもそれぞれ大きい、及び小さい第１及び第２データパケット信号電力レベルを有し、
少なくとも部分的に、前記第１  ＤＰＳ受信機により、前記受信された複数のデータパケット信号の第１及び第２部分から、前記第１  ＤＰＳ受信機の適切に受信されたデータパケット信号の第１の累積数を計算する工程と、
少なくとも部分的に、前記第２  ＤＰＳ受信機により、前記受信された複数のデータパケット信号の第１及び第２部分から、前記第２  ＤＰＳ受信機の適切に受信されたデータパケット信号の第２の累積数を計算する工程と、
前記第１及び前記第２累積数の適切に受信されたデータパケットを含む、前記データパケットの群の全てを受信した後、前記第１  ＤＰＳ受信機に関し、前記適切に受信されたデータパケット信号の第１累積数に基づいて第１の単一の予測されるＰＥＲを決定し、かつ、前記第２  ＤＰＳに関し、前記適切に受信されたデータパケット信号の第２累積数に基づいて第２の単一の予測されるＰＥＲを決定する工程と、
を含む方法。
【請求項２】
前記決定する工程が、
複数の予め構成されたデータ構造の１つを選択する工程と、
適切に受信されたデータパケット信号の前記第１及び前記第２累積数それぞれを、前記複数の予め構成されたデータ構造の選択された１つと比較し、前記第１及び前記第２の単一の予測されるＰＥＲのそれぞれ対前記データパケット信号電力レベルを決定する工程と、
を含む請求項１に記載の方法。
【請求項３】
前記既定の電力レベルと実質的に等しい第３データパケット信号電力レベルを有する、前記複数のデータパケット信号の第３部分を受信する工程と、
前記複数のデータパケット信号の受信された第１、第２、及び第３部分から適切に受信されたデータパケット信号の前記第１及び前記第２累積数をそれぞれ計算する工程とを更に含む、請求項１に記載の方法。
【請求項４】
前記決定する工程は、
複数の予め構成されたデータ構造の１つを選択する工程と、
適切に受信されたデータパケット信号の前記第１及び前記第２累積数それぞれを、前記複数の予め構成されたデータ構造の選択された１つと比較し、前記第１及び前記第２の単一の予測されるＰＥＲのそれぞれ対前記データパケット信号電力レベルを決定する工程とを含む、請求項３に記載の方法。
【請求項５】
前記第１  ＤＰＳ受信機、及び前記第２  ＤＰＳ受信機において、前記受信する工程、計算する工程、及び決定する工程の１つ以上が、実質的に同時に行われる、請求項１に記載の方法。
【請求項６】
第１及び第２データパケット信号（ＤＰＳ）受信機それぞれの感度レベルを測定する方法であって、ここで各受信機は予測されるパケットエラー率（ＰＥＲ）対データパケット信号電力レベルにより画定される感度特性を有し、前記方法は、
前記第１  ＤＰＳ受信機及び前記第２  ＤＰＳ受信機により、データパケットの群を含むデータパケット信号の信号送信を受信する工程と、ここで、前記データパケットの群の少なくとも２つのそれぞれが、異なるデータパケット信号電力レベルを有し、
少なくとも部分的に、前記第１  ＤＰＳ受信機により、前記データパケットの群の前記受信された少なくとも２つの部分から、前記第１  ＤＰＳ受信機の適切に受信されたデータパケットの第１累積数を計算する工程と、
少なくとも部分的に、前記第２  ＤＰＳ受信機により、前記データパケットの群の前記受信された少なくとも２つの部分から、前記第２  ＤＰＳ受信機の適切に受信されたデータの第２累積数を計算する工程と、
前記第１及び前記第２累積数の適切に受信されたデータパケットを含む、前記データパケットの群の全てを受信した後、適切に受信されたデータパケットの前記第１累積数に基づいて前記第１  ＤＰＳ受信機の第１の単一の予測されるＰＥＲを決定し、かつ適切に受信されたデータパケットの前記第２累積数に基づいて前記第２  ＤＰＳ受信機の第２の単一の予測されるＰＥＲを決定する工程と、
を含む方法。
【請求項７】
前記決定する工程が、
複数の予め構成されたデータ構造の１つを選択する工程と、
適切に受信されたデータパケットの前記第１及び前記第２累積数それぞれを、前記複数の予め構成されたデータ構造の選択された１つと比較し、前記第１及び前記第２の単一の予測されるＰＥＲのそれぞれ対前記データパケット信号電力レベルを決定する工程とを含む、請求項６に記載の方法。
【請求項８】
前記データパケット信号を送信する工程を更に含む、請求項６に記載の方法。
【請求項９】
データパケット信号のベースバンド表示が、スケーリングされたデータパケットを生成するためにスケーリングされ、前記スケーリングされたベースバンドデータパケットは、変換されて、前記データパケットの群の送信された少なくとも２つの部分として送信される、請求項８に記載の方法。
【請求項１０】
データパケット信号の前記ベースバンド表示は、デジタル表示であり、前記スケーリングされたベースバンドデータパケットは、スケーリングされたデジタルデータパケットであり、前記スケーリングされたデジタルパケットは、デジタルーアナログ変換器（ＤＡＣ）によって変換される、請求項９に記載の方法。
【請求項１１】
前記スケーリングされたベースバンドデータパケットは、前記変換及び送信のために後で読み出すために、メモリ内に保存される、請求項９に記載の方法。
【請求項１２】
前記保存された、スケーリングされたベースバンドデータパケットは、前記データパケットの群の送信された少なくとも２つの部分を生成するために、変換されて、既定の回数だけ繰り返し送信される、請求項１１に記載の方法。
【請求項１３】
前記受信する工程、計算する工程、及び決定する工程の１つ以上が、前記第１  ＤＰＳ受信機、及び前記第２  ＤＰＳ受信機に対して実質的に同時に行われる、請求項６に記載の方法。
【請求項１４】
第１及び第２データパケット信号（ＤＰＳ）受信機それぞれの感度レベルを測定する方法であって、ここで各受信機は、関連するビットレート変調における、予測されるパケットエラー率（ＰＥＲ）対データパケット信号電力レベルにより画定される感度特性を有し、前記方法は、
前記第１  ＤＰＳ受信機及び前記第２  ＤＰＳ受信により、データパケットの群を含むデータパケット信号の単一の送信を受信する工程と、ここで前記データパケットの群の第１及び第２部分は実質的に等しいデータパケット電力レベル、並びにそれに応じて、既定のビットレート変調よりもそれぞれ大きい、及び小さい第１及び第２ビットレート変調を有し、
少なくとも部分的に、前記第１  ＤＰＳ受信機により、前記データパケットの群の前記受信された第１及び第２部分から、前記第１  ＤＰＳ受信機の適切に受信されたデータパケットの第１累積数を計算する工程と、
少なくとも部分的に、前記第２  ＤＰＳ受信機により、前記データパケットの群の前記第部分及び第２部分から、前記第２  ＤＰＳ受信機の適切に受信されたデータの第２累積数を計算する工程と、
前記第１及び前記第２累積数の適切に受信データパケットを含む、前記データパケットの群の全てを受信した後、適切に受信されたデータパケットの前記第１累積数に基づいて前記第１  ＤＰＳ受信機の第１の単一の予測されるＰＥＲを決定し、かつ適切に受信されたデータパケットの前記第２累積数に基づいて前記第２  ＤＰＳ受信機の第２の単一の予測されるＰＥＲを決定する工程とを含む、方法。
【請求項１５】
前記第１及び第２部分のデータパケットの前記電力レベルと実質的に等しい電力レベルを備えるデータパケットを有する、前記データパケットの群の第３の部分を受信する工程と、ここで、前記第３部分は、前記既定のビットレート変調と実質的に等しい第３ビットレート変調を有し、
前記データパケットの群の前記受信された第１、第２及び第３部分からの、適切に受信されたデータパケットの前記第１及び第２累積数をそれぞれ計算する工程と、
を更に含む、請求項１４に記載の方法。
【請求項１６】
、前記受信する工程、計算する工程、及び決定する工程の１つ以上が、前記第１  ＤＰＳ受信機、及び前記第２  ＤＰＳ受信機に対して実質的に同時に行われる、請求項１４に記載の方法。
【請求項１７】
第１及び第２データパケット信号（ＤＰＳ）受信機それぞれの感度レベルを測定する方法であって、各受信機は、関連するビットレート変調における、予測されるパケットエラー率（ＰＥＲ）対データパケット信号電力レベルにより画定される感度特性を有し、前記方法は、
前記第１  ＤＰＳ受信機、及び前記第２  ＤＰＳ受信機により、データパケットの群を含むデータパケット信号の単一の送信を受信する工程と、前記データパケットの群の少なくとも２つの部分が、実質的に等しい電力レベルを有し、前記少なくとも２つの部分のそれぞれが異なるビットレート変調を有し、
少なくとも部分的に、前記第１  ＤＰＳ受信機により、前記群の前記受信された少なくとも２つの部分から、前記第１  ＤＰＳ受信機の適切に受信されたデータパケットの第１累積数を計算する工程と、
少なくとも部分的に、前記第２  ＤＰＳ受信機により、前記群の前記受信された少なくとも２つの部分から、前記第２  ＤＰＳ受信機の適切に受信されたデータパケットの第２累積数を計算する工程と、
前記第１及び前記第２累積数の適切に受信されたデータパケットを含む、前記データパケットの群の全てを受信した後、適切に受信されたデータパケットの前記第１累積数に基づいて前記第１  ＤＰＳ受信機の第１の単一の予測されるＰＥＲを決定し、かつ適切に受信されたデータパケットの前記第２累積数に基づいて前記第２  ＤＰＳ受信機の第２の単一の予測されるＰＥＲを決定する工程と、
を含む、方法。
【請求項１８】
前記少なくとも２つの部分の少なくとも一方が、既定のビットレート変調より低いビットレート変調を有し、前記少なくとも２つの部分の少なくとも一方が、前記既定のビットレート変調より高いビットレート変調を有する、請求項１７に記載の方法。
【請求項１９】
前記受信する工程、計算する工程、及び決定する工程の１つ以上が、前記第１  ＤＰＳ受信機、及び前記第２  ＤＰＳ受信機に対して実質的に同時に行われる、請求項１７に記載の方法。
【請求項２０】
第１及び第２データパケット信号（ＤＰＳ）受信機それぞれの感度レベルを測定する方法であって、ここで、各受信機は、関連するビットレート変調における、予測されるパケットエラー率（ＰＥＲ）対データパケット信号電力レベルにより画定される感度特性を有し、前記方法は、
前記第１  ＤＰＳ受信機及び前記第２  ＤＰＳ受信機により、データパケットの群を含むデータパケット信号の単一の送信を受信する工程と、ここで、前記データパケットの群の少なくとも２つが、実質的に同じ電力レベル及びビットレート変調を有し、前記データパケットの群の少なくとも２つの別の部分は、異なる電力レベル及びビットレート変調を有し、
少なくとも部分的に、前記第１  ＤＰＳ受信機により、前記群の前記受信された少なくとも２つの部分から、前記第１  ＤＰＳ受信機の適切に受信されたデータパケットの第１累積数を計算する工程と、
少なくとも部分的に、前記第２  ＤＰＳ受信機により、前記群の前記受信された少なくとも２つの部分から、前記第２  ＤＰＳ受信機の適切に受信されたデータパケットの第２累積数を計算する工程と、
前記第１及び前記第２累積数の適切に受信されたデータパケットを含む、前記データパケットの群の全てを受信した後、適切に受信されたデータパケットの前記第１累積数に基づいて前記第１  ＤＰＳ受信機の第１の単一の予測されるＰＥＲを決定し、かつ適切に受信されたデータパケットの前記第２累積数に基づいて前記第２  ＤＰＳ受信機の第２の単一の予測されるＰＥＲを決定する工程と、
を含む、方法。
【請求項２１】
前記少なくとも２つの部分の少なくとも一方が、既定のビットレート変調より低いビットレート変調及び既定の電力レベルより低い電力レベルを有し、かつ前記少なくとも２つの部分の少なくとも一方が、前記既定のビットレート変調より高いビットレート変調及び既定の電力レベルより高い電力レベルを有する、請求項２０に記載の方法。
【請求項２２】
、前記受信する工程、計算する工程、及び決定する工程の１つ以上が、前記第１  ＤＰＳ受信機、及び前記第２  ＤＰＳ受信機に対して実質的に同時に行われる、請求項２０に記載の方法。
【発明の詳細な説明】
【技術分野】
【０００１】
本発明は一般的に、電子機器の許容可能な性能の試験、より具体的には、複数の被試験デバイス（ＤＵＴ）の複数のデータパケット信号受信機の感度の測定に関する。
【背景技術】
【０００２】
電気受信機は、携帯電話、無線パーソナルコンピューター（ＰＣ）、一般的な無線装置の基本的構成要素を形成する。典型的には、製造工場から出る前に、無線装置の許容可能な性能が試験される。無線装置の試験の一部に、装置の受信機の感度の試験が含まれる。受信機の感度は、所定の電力レベルにおいて受信機が受信するパケットの、パケットエラー率（ＰＥＲ）を計算することにより試験することができる。例えば、所定の電力レベルにおける、既知の数のパケットが受信機に送信され、受信により適切に受信されたパケットの数が計算される。ＰＥＲとは送信されたパケットの数から適切に受信されたパケットの数を引き（すなわち、適切に受信されなかったパケットの数）、これを送信したパケットの数で除したものであり、通常は百分率で表される。例えば、合格点は、１０％以下のＰＥＲであり得る。所定の電力レベルは典型的には、想定される受信機の感度よりも高い試験レベルで選択される。例えば、想定される感度が−７５ｄＢｍ（１ミリワット、従って絶対電力レベルに対するデシベル）である場合、選択される試験レベルは−７２ｄＢｍであり得る。−７２ｄＢｍの電力において送信される、受信されるパケットにおける、受信機のＰＥＲが１０％以下である場合、受信機は試験に合格し、そうでない場合は不合格である。試験レベルが、想定される受信機の感度において、又はその極付近において選択される場合、（例えば、コネクタが緩んでいることなどによる）受信機における電力レベルの僅かな変動が、合格／不合格の試験結果のばらつき、及び非一貫性を生じる。したがって、試験レベルは典型的には、安定的な試験結果を確保するために、想定される感度よりも十分に高い点において選択される。
【０００３】
上記の従来的な試験の代替法は、受信機の真の、又は実際の感度を求めることである。たとえば、１つの電力レベルにおいて送信されるパケットのシーケンス、及びその後別の電力レベルにおいて送信されるパケットのシーケンスに対するＰＥＲが測定され、ＰＥＲの不連続点（例えば、急激に変化する点）が観察されるまで、この方法を継続する。感度は通常、ＰＥＲが、例えば、１０％（これは典型的には、急激な変化の点とほぼ等しい）の、既定のレベルに到達するときに特定される。ＰＥＲ不連続点が生じる電力レベルが、受信機の真の感度として選択されてもよく、この見出された真の感度に基づいて受信機が合格又は不合格となる。ＰＥＲ不連続点を見出す前に、多数のパケットのシーケンスが繰り返し、様々な電力レベルにおいて送信されなくてはならないことがあるため、真の受信機の感度の判定は、試験時間の増加を招く場合がある。この場合、試験時間の増加に伴い、許容可能な受信機の試験費用がかさむ場合がある。それでも真の受信機の感度の判定は非常に望ましい場合がある。
【０００４】
例えば、被試験受信機の真の受信機感度を追跡することにより、ある受信機と次の受信機との感度レベルの変化の方向、さらに変化の割合を知ることができる。真の感度の変化は、受信機構成要素への供給元における変化と相関することがある。受信機の感度の悪化は、発見及び修正が間に合えば、故障した装置の再作業を防止することができる。加えて、最新のデジタル受信機は、アナログの先行モデルとは異なり、典型的には感度を段階的に悪化させることはない。感度の大きな変化（例えば、試験合格から試験不合格へ）は、受信される電力１ｄＢ以内で生じ得る。したがって、電力の関数としての真の感度不連続点は、狭い電力の範囲における非常に急激な変化である場合がある。真の受信機感度がどの程度であるか、又は真の受信期間度がどのように変化しているかを知らなければ、製造試験中に多くの受信機が一度に故障するリスクが高くなる。
【発明の概要】
【発明が解決しようとする課題】
【０００５】
上記に鑑み、被試験受信機の真の受信機感度を適時な様式で判定するような改善（例えば、試験時間を有意に増加させないように）が必要とされている。
【課題を解決するための手段】
【０００６】
複数のデータパケット信号受信機の感度を同時に測定する方法は、データパケット信号の既定の制御されたシーケンスの受信されたデータパケットの、電力レベル若しくは変調又は両方を変化させることによってもたらされる。
本発明は、以下の図面と併せて以下の説明を考慮することにより容易に理解され、ここで同様の参照符号は同様の要素を表す。
【図面の簡単な説明】
【０００７】
【図１】図１は、ある種類のデータパケット信号受信機の感度特性を画定するために使用され得る、典型的なパケットエラー率（ＰＥＲ）曲線群の例を示すグラフを例示する。
【図２】図２は、本発明の実施形態に従った、データパケット信号受信機の感度レベルを測定する方法の例を記載するフローチャートを例示する。
【図３】図３は、本発明の別の実施形態に従った、データパケット信号受信機の感度レベルを測定する方法の例を記載するフローチャートを例示する。
【図４】図４は、本発明の実施形態に従った、送信される３つの連続的なデータパケット信号のシーケンスの例を示すグラフを例示する。
【図５】図５は、本発明の実施形態に従った、データパケット信号受信機の感度レベルを測定するように構成された試験システムの例のブロック図を例示する。
【図６】図６は、本発明の実施形態に従った、更に別の送信される、３つの連続的なデータパケット信号のシーケンスの例を示すグラフを例示する。
【図７】図７は、本発明の実施形態に従った、データパケット信号受信機の感度レベルを測定する方法の例を記載するフローチャートを例示する。
【図８】図８は、本発明の実施形態に従った、複数のデータパケット信号受信機それぞれの感度レベルを測定するように構成された試験システムの例のブロック図を例示する。
【図９】図９は、本発明の実施形態に従った、複数のデータパケット信号受信機それぞれの感度レベルを測定する方法の例を記載するフローチャートを例示する。
【発明を実施するための形態】
【０００８】
被試験デバイス（ＤＵＴ）のデータパケット信号受信機の感度レベルを測定する方法が提供される。典型的には、データパケット信号受信機は、ｄＢｍ（絶対電力レベル）又はｄＢ（相対的電力レベル）で測定される電力レベルの関数として、パケットエラー率（ＰＥＲ）を示す曲線によって画定される感度特性を有する。曲線の形状、又は感度特性は、ある受信機と次の受信機との間でほぼ同じままであるが、ただし、特定の試験を受けるユニットの真の感度に対応して、ｘ軸（ｄＢｍ軸）に沿って左又は右に移動し得る。したがって、特定のデータパケット信号受信機の真の感度のレベルは、同様の曲線の群の１つ（例えば、１つの曲線）として、したがって多くの複数（例えば、多くの曲線）予測されるパケットエラー率（ＰＥＲ）対複数のデータパケット信号電力レベルの１つとして記載され得る。
【０００９】
図１は、ある種類のデータパケット信号受信機の感度特性を画定するために使用され得る典型的なパケットエラー率（ＰＥＲ）曲線１０２の群の例を示すグラフ１００を例示する。曲線の１つ（例えば、曲線１０４）は、試験中の特定のデータパケット信号受信機の真の感度を表示又は画定する。本明細書における実施形態は、試験中の特定のデータパケット信号受信機の真の感度レベルとして適合又は一致する、典型的なＰＥＲ曲線１０２の群の特定の曲線（例えば、曲線１０４）を決定するための方法を例示する。
【００１０】
例えば、３つの異なる電力レベルにおけるデータパケット信号（本明細においてはまた、単にデータパケットと称される）は、被試験の受信機に送信されてもよい。このようにして、３つの異なる電力レベルで受信機を試験する。例えば、それぞれ、−７８ｄＢｍ、−７５ｄＢｍ、及び−７２ｄＢｍにおける連続的なパケットが、受信ユニットへと所定の回数だけ送信されてもよい。図１のグラフ１００により、試験中の受信機の真の感度が曲線１０４である場合、−７８ｄＢｍにおけるパケットのほとんど全てが、失われるものと予測される。−７５ｄＢｍにおいて送信されるパケットの約８％が、失われるものと予測され、−７２ｄＢｍにおけるパケットのほぼ全てが適切に受信される。３つの電力レベルのそれぞれについて、１００個のデータ信号パケットが受信されるものと想定する。受信ユニットが、曲線１０４により示される真の感度を有する場合、送信される３００個のパケットのうち、約１９２個のデータパケットが適切に受信されるものと予測される。例えば、−７２ｄＢｍにおいて送信される１００個のパケット全てが、適切に受信されるものと予測され、−７５ｄＢｍにおいて送信される１００個のパケットの９２個が適切に受信されるものとして予測され、−７８ｄＢｍにおいて送信される１００個のパケットのいずれも適切に受信されないものとして予測される。したがって、適切に受信されるパケットの合計は、送信される３００個のパケットのうちの１９２個のパケットである。
【００１１】
受信機の感度が１ｄＢ低くなるものと想定すると（−７５ｄＢｍから−７４ｄＢｍに）、図１の曲線１０５によって表される。−７５ｄＢｍで送信されるパケットの約３０％が失われる（曲線１０５による）ことが予測されるが、残りの２つのレベルは、前と同じパケットの消失数又は受信数を生じるはずである。よって、曲線１０５の感度を有する受信機は、送信された３００個のパケットのうち約１７０個のパケットを受信するものと予測される。これとは対照的に、受信機の感度が逆の方向に１ｄＢシフトすると（−７５ｄＢｍから−７６ｄＢｍに）、曲線１０６は、受信機ユニットの真の感度に近づき得る。この場合、曲線１０６の感度を備える受信機は、−７５ｄＢｍで受信された１００個のパケットのうち９７個を適切に受信するものと予測され、−７８ｄＢｍで受信されたパケットのいくつかもまた適切に受信され得る。したがって、受信機ユニットの真の感度レベルが、曲線１０６によってモデル化されると、送信された３００個のパケットのうち２００個を超えるパケットが適切に受信されることが予測される。
【００１２】
上記から、様々な電力レベルを備えるデータパケットの群の、１つの信号送信により、試験中のデータパケット信号受信機の真の感度レベルが決定されて得ることが、理解されるべきである。上記のように、適切に受信されたパケットの合計数が、特定のデータパケット信号受信機の、真の感度又は最良適合曲線を決定するために使用されてもよい。しかしながら、殆どの場合において、感度曲線の決定自体のために曲線適合が行われる必要はなく、適切に受信されたパケットの合計数（例えば、３００のうちの１００）が、特定のデータパケット信号受信機における合格／不合格の試験結果を決定するために使用されてもよい。更に、データパケット信号受信機の生じた感度レベルの変化の方向及び／又は変化速度の判定のためのデータを蓄積するため、試験中の受信機に監視、適切に受信されたパケットの合計数が追跡されてもよい。このような蓄積されたデータは、変化の原因を判定するために使用されてもよく、例えば、感度レベルの悪化は、受信機構成要素の供給元の変化と相関付けられてもよい。
【００１３】
図２は、本明細書において記載される、実施形態による、データパケット信号受信機の感度レベルを測定する方法２００の例を記載するフローチャートを例示する。データパケット信号受信機は、１つ以上の（例えば、図１の典型的なＰＥＲ曲線１０２の群）予測されるパケットエラー率（ＰＥＲ）対複数のデータパケット信号電力レベルによって画定される感度特性を有する。方法２００は開始ブロック２０２から始まり、複数のデータパケット信号が、データ信号受信機に送信される。処理はブロック２０４へと進み、これは、複数のデータパケット信号電力レベルの、第１及び第２の電力レベルを対応して有する、第１及び第２部分として、複数のデータパケット信号を受信することを含む。第１部分に対応する第１電力レベル（例えば、−７２ｄＢｍ）は、所定の電力レベル（例えば、−７５ｄＢｍ）よりも高く、第２部分と対応する第２電力レベル（例えば、−７８ｄＢｍ）は、所定の電力レベルよりも低い。ブロック２０６において、適切に受信されたデータパケット信号の合計数が、第１及び第２部分から計算される。処理はブロック２０８へと進み、これは、適切に受信されたデータパケット信号の合計数に基づき、１つ以上の（例えば、図１の典型的なＰＥＲ曲線の群などの、複数の感度曲線）予測されるパケットエラー率（ＰＥＲ）対複数のデータパケット信号電力レベルから、１つの感度（例えば、図１の曲線１０４などの１つの曲線又は感度）を決定する。ブロック２１０において、方法２００が終了し、確定した感度の試験評価及び感度追跡がもたらされる。
【００１４】
別の実施形態において、ブロック２０８の処理は、感度又は感度曲線自体を決定する代わりに、受信されたデータパケット信号の計算された合計数を、所定の数と比較する。本方法に基づいて、適切に受信されたデータパケット信号の計算された合計数は、感度と緊密に関連する。計算された、適切に受信されたデータパケット信号の合計数が既定の数と同等以上である場合、データパケット信号受信機は試験に合格し、そうでない場合はデータパケット信号受信機は試験に不合格となる。計算された、適切に受信されたデータパケットの合計数は、受信機感度の変化の方向及び割合を追跡するために、ある受信機から次の受信機へと更に追跡される。ブロック２１０において、方法２００は終了し、受信機は試験に合格又は不合格となる。
【００１５】
ブロック２０８における１つの曲線又は感度の決定は、例えば以下のように行われてもよい。この実施例において、ブロック２０８は、最初に、複数の予め構成されたデータ構造（例えば、複数の表）からデータ構造を選択することを含む。この選択は、第１及び第２部分に対応する第１及び第２電力レベル（例えば、−７２ｄＢｍ、及び−７８ｄＢｍ）に、及び各第１及び第２部分（例えば、各部分から送信された１００個のパケット）において送信されるパケットの数に基づく場合がある。選択される予め構成されたデータ構造は、適切に受信されたパケットの合計数を、曲線又は感度レベルと関連させてもよい。したがって、曲線又は感度レベルを決定するために、適切に受信されたデータパケット信号の合計数が、選択される予め構成されたデータ構造（例えば、合計数は、表データ構造の表検索を行うための、キーとして使用されてもよい。）と比較されてもよい。例えば、選択された、予め構成されたデータ構造は、戻るか、又は送信された３００個のパケットから適切に受信された合計１９２個のパケットの図１の曲線１０４を決定してもよい。又は、送信された３００個のパケットのうち、１７０個のパケットが受信されると、選択された予め構成されたデータ構造が、図１の曲線１０５に戻してもよい。したがって、選択された予め構成されたデータ構造は、適切に受信されたパケットの合計数に基づいて、データパケット信号受信機の感度レベル又は感度曲線の表検索を行うために、使用され得る。
【００１６】
別の実施形態において、３つの電力レベルのデータパケットが送信される。データパケットの第１部分は、既定の電力レベル（例えば、−７５ｄＢｍ）を上回る電力レベル（例えば、−７２ｄＢｍ）で送信され、別の部分は、既定の電力レベルを下回る電力レベル（例えば、−７８ｄＢｍ）で送信され、第３部分は、既定の電力レベルの近く又はこれに等しいレベルで送信される。送信されるパケットの３つの電力レベル、及び３つの部分のそれぞれにおいて送信されるパケットの数と対応し得る、予め構成されたデータ構造（例えば、表データ構造）が選択される。次に、選択される予め構成されたデータ構造において利用可能な曲線又は感度レベルの中から、１つの曲線又は感度レベルを決定するために、適切に受信されたデータパケット信号の合計数が、選択される予め構成されたデータ構造と比較される（例えば、合計数は、表データ構造において表検索を行うためのキーとして使用され得る）。
【００１７】
更に別の実施形態において、複数のデータパケット信号の少なくとも２つの部分が受信され、各部分は、異なる電力レベルのパケットを有する。適切に受信されたパケットの合計数が、受信された少なくとも２つの部分から計算される。１つ以上の予測されるパケットエラー率（ＰＥＲ）の１つ対複数のデータパケット信号電力レベルが、適切に受信されたパケットの合計数に基づいて決定される。例えば、図１の典型的なＰＥＲ曲線１０２の群などの、感度曲線の群から、図１の曲線１０４などの、感度曲線が決定される。その決定は、少なくとも２つの部分と関連するデータパケット信号電力レベル、及び少なくとも２つの部分のそれぞれにおいて送信されるパケットの数に基づき、複数の予め構成されたデータ構造の１つを選択することによって行われてもよい。１つ以上の予測されるパケットエラー率（ＰＥＲ）の１つ対複数のデータパケット信号電力レベルを決定するために、適切に受信されたデータパケット信号の合計数が、選択される予め構成されたデータ構造と比較されてもよい。
【００１８】
図３は、本明細書において記載される、別の実施形態に従った、データパケット信号受信機の感度レベルを測定する方法３００の例を記載するフローチャートを例示する。データパケット信号受信機は、１つ以上の（例えば、図１の典型的なＰＥＲ曲線１０２の群）予測されるパケットエラー率（ＰＥＲ）対複数のデータパケット信号電力レベルによって画定される感度特性を有する。本方法３００は開始ブロック３０２から始まり、複数のデータパケット信号が、データ信号受信機に送信される。処理はブロック３０４へと進み、これは、複数のデータパケット信号電力レベルの、第１及び第２の電力レベルをそれぞれ有する、第１及び第２部分として、複数のデータパケット信号を受信することを含む。第１部分に対応する第１電力レベル（例えば、−７２ｄＢｍ）は、所定の電力レベル（例えば、−７５ｄＢｍ）よりも高く、第２部分と対応する第２電力レベル（例えば、−７８ｄＢｍ）は、所定の電力レベルよりも低い。ブロック３０６において、第１及び第２  ＰＥＲは、複数の受信されたデータパケット信号の第１及び第２部分と対応して計算される。処理は次にブロック３０８へと進み、これは、計算されたＰＥＲの最良適合又は一致曲線を決定するために、第１及び第２の計算されたＰＥＲを、１つ以上の予測されるＰＥＲ（例えば、図１の典型的なＰＥＲ曲線１０２の群などの、１つ以上の感度曲線）の対応する１つと比較することを含む。例えば、−７６ｄＢｍの電力レベルを有する、送信されたパケットの一部の、３０％の計算されたＰＥＲ、及び−７４ｄＢｍの電力レベルを有する送信されたパケットの一部の、３％の計算されたＰＥＲは、図１の典型的なＰＥＲ曲線１０２の群を使用して、図１の曲線１０４を決定するか、又は最良適合する。ブロック３１０において、方法３００が終了し、確定した感度の試験評価及び感度追跡がもたらされる。
【００１９】
別の実施形態において、３つの電力レベルのデータパケットが送信される。データパケットの第１部分は、既定の電力レベル（例えば、−７５ｄＢｍ）を上回る電力レベル（例えば、−７２ｄＢｍ）で送信され、別の部分は、既定の電力レベルを下回る電力レベル（例えば、−７８ｄＢｍ）で送信され、第３部分は、既定の電力レベルの近く又はこれに等しいレベルで送信される。第１、第２、及び第３部分のＰＥＲが計算される。３つの計算されたＰＥＲがその後、感度曲線の群の感度曲線を見出すため（例えば、これに一致又は最良適合するために使用される）比較され、例えば、感度曲線１０４が、図１の典型的なＰＥＲ曲線１０２の群の中からの最良適合又は一致したものでありえる。
【００２０】
更に別の実施形態において、データパケットの４つ以上の点（各点は異なる電力レベルをもつ）が送信される。各受信された部分のＰＥＲが計算される。４つ以上の計算されたＰＥＲがその後、感度曲線の群の感度曲線を見出すため（例えば、これに一致又は最良適合するために使用される）使用され、例えば、感度曲線１０４が、図１の典型的なＰＥＲ曲線１０２の群の中からの最良適合又は一致したものであり得る。
【００２１】
図４は、本明細書において記載された実施形態に従った、３つの連続的なデータパケット信号４０２、４０４、及び４０６の送信されたシーケンス４０１の例を示す、グラフ４００を例示する。この実施形態において、各データパケット信号は異なる電力レベルを有する。例えば、データパケット信号４０２は、（基準電力レベルに対して）およそ−１ｄＢの電力レベル４０８を有し、データパケット信号４０４は、およそ＋２ｄＢの電力レベル４１０を有し、データパケット信号４０６は、およそ−４ｄＢの電力レベル４１２を有する。データパケット信号受信機を試験するために、複数のデータパケット信号が送信されるように、シーケンス４０１は、既定の回数だけ送信され得る。したがって、−１ｄＢのデータパケット信号の第１部分、＋２ｄＢのデータパケット信号の第２部分、及び−４ｄＢのデータパケット信号の第３部分をもたらすために、各電力レベルにおいて、同じ数のデータパケット信号が送信され得る。
【００２２】
送信装置は、連続的なパケットの電力レベル又は振幅の迅速で正確な変化、及びパケット間の短い時間間隔（図４の例に示される）を生成することを必要とし得る。連続的なパケットのそのような迅速かつ正確な電力レベルの変化を達成するための手法は、スケーリングされたベースバンドデータパケット信号を生成するために、データパケット信号のベースバンド表示をスケーリングすることであり得る。スケーリングされたベースバンドデータパケット信号は、その後変換及び送信され得る。各スケーリングされたベースバンドデータパケットは、電力レベルが、データパケットのスケーリングと関連及び対応する、データパケット信号に変換される。この方法において、振幅及び電力レベルが急速かつ適切に変化する連続的なデータパケット信号が生成及び送信され得る。外部減衰器の使用は、この場合には必要でない場合がある。
【００２３】
例えば、データパケット信号のベースバンド表示は、データパケット信号のデジタルドメインにおけるデジタル表示であり得る。スケーリングされたデータパケット信号は、スケーリングされたデジタルデータパケット信号であり得る。第１のスケーリングされたデジタルデータパケット信号は、例えば、０．５の倍率などの倍率で、デジタル表示を乗することによって、デジタル表示から生成してもよい。デジタル表示は、第２のスケーリングされたデジタルデータパケット信号を生成するために、例えば、０．７など、異なる倍率を掛けてもよく、０．３などの更に別の異なる倍率をかけて、第３のスケーリングされたデジタルデータパケット信号を生成してもよい。第１のスケーリングされたデジタルデータパケット信号は、デジタル−アナログ（ＤＡＣ）変換器により変換されると、図４のデータパケット信号４０２を生成し得る。第２及び第３のスケーリングされたデジタルデータパケット信号は、ＤＡＣにより変換されると、図４のデータパケット信号４０４、及び４０６を対応して生成し得る。データパケット信号４０２、４０４、及び４０６は、データ信号受信機による受信のために、ＲＦドメインにおける無線周波（ＲＦ）データパケット信号として送信することができる。
【００２４】
受信機の試験のための、複数のデータパケット信号を生成するためのスケーリングされたベースバンドデータパケット信号は、送信装置のメモリ内に保存することができる。スケーリングされたベースバンドデータパケット信号はその後、所望のときにメモリから取り出され、変換及び送信される。別の実施形態において、データパケット信号４０２、４０４、及び４０６と対応する、例えば、第１、第２、及び第３のスケーリングされたベースバンドデータパケット信号などの、スケーリングされたベースバンドデータパケット信号が、送信装置のメモリ内に保存される。所望のとき、対象の受信機を試験するために、データパケットのトレイン、又は複数のデータパケットを送信するために、保存されたスケーリングされたベースバンドデータパケット信号が取り出され、変換され、かつ一定の既定の回数だけ繰り返し送信される。
【００２５】
図４に関して先に記載されたように、それぞれ異なるデータパケット信号電力レベルを有する、３つの部分が存在し得る。別の実施形態において、それぞれ異なるデータパケット信号電力レベルを有する、複数のデータパケット信号の２つの部分が存在し得る。図４のシーケンス４０１は、２つのパケットのみを含んでもよく、それぞれ異なる電力レベルであり、したがって、繰り返し送信される際に、２つの部分を生成する。更に別の実施形態において、それぞれ異なるデータパケット信号電力レベルを有する、複数のデータパケット信号の４つ以上の部分が存在し得る。図４のシーケンス４０１は、異なる電力レベルの４つ以上のパケットを含み、よって繰り返し送信されるときに、４つ以上の部分を生成する。
【００２６】
図５は、被試験デバイス（ＤＵＴ）５０４のデータパケット信号（ＤＰＳ）受信機５０２の感度レベルを測定するように構成された試験システム５００の例のブロック図を例示する。ＤＵＴ  ５０４がＤＰＳ受信機５０２であるが、図５に示されるように、ＤＰＳ受信機５０２が、ＤＵＴ  ５０４とは別個の構成要素であるデジタル信号プロセッサ（ＤＳＰ）チップ（例えば、ＲＦチップ）である場合でもよい。試験システム５００は、ＤＰＳ受信機５０２の試験に当たり、ＤＰＳ受信機５０２が受信するために、複数のデータパケット信号を送信するための、例えばベクトル信号発生器（ＶＳＧ）５０６などの、送信装置を有する。送信媒体５０８は、ＶＳＧ  ５０６の送信機５１０からＤＰＳ受信機５０２への複数のデータパケット信号の送信を可能にする。送信媒体５０８は、有線又は無線接続を含み得る。
【００２７】
図５に示されているように、ＶＳＧ  ５０６は、メモリ５１４、デジタルーアナログ変換器（ＤＡＣ）５１２、及び送信機５１０を含む。メモリ５１４は、スケーリングされたベースバンドデータパケット信号５１６を保存するために使用され得る。スケーリングされたベースバンドデータパケット信号５１６は、メモリ５１４から読み出され、図４において先に記載されたように、ＤＡＣ  ５１２が複数のデータパケット信号を生成するために利用可能にする。例えば、スケーリングされたデータパケット信号５１６は、送信機５１０による送信のための送信情報５１８として、ＤＡＣ  ５１２に入力される複数のデータパケットを生成する。スケーリングされたデジタルデータパケットであり得る。スケーリングされたベースバンドデータパケット信号５１６のサブセット又は完全なセットのいずれかが、複数のデータパケット信号の生成に使用するためのメモリ５１４に保存されていてもよい。サブセットのみが保存される場合、一度送信のためにデータパケット信号に変換された、スケーリングされたベースバンドデータパケット信号５１６のサブセットが、複数の送信データパケット信号を生成するために既定の回数、送信されてもよい。
【００２８】
ＤＰＳ受信機５０２は、送信された複数のデータパケット信号を受信するために、リンクの確立を必要としても、しなくてもよい。ＤＰＳ受信機５０２はＤＵＴ  ５０４とは別個の構成要素であり、ＤＵＴ  ５０４は、受信機５０２を、パケットの試験シーケンスの受信を待機する一定のリスニングモードに維持するために、ＤＰＳ受信機５０４に特殊ドライバを提供し得る、という状況もあり得る。
【００２９】
受信機５０２が受信できるようになる前にリンクが確立される必要がある状況において、リンクは、非同期又は同期リンクであり得る。図５に図示されない別の装置（例えば、ゴールデンカード）は、リンクを確立するために、ＤＰＳ受信機５０２へのパケットのリンク確立シーケンスを生成してもよい。一度リンクが確立されると、ゴールデンカードがＶＳＧ  ５０６に切り替わり、ＶＳＧ  ５０６が、パケットの試験シーケンスを生成するようにしてもよい。
【００３０】
このリンクの状態において、ＤＵＴ  ５０４は、受信されたパケットを確認するが、ＤＵＴ  ５０４が確認応答を送信する間にＶＳＧ  ５０６が送信しない限り、問題は生じない。これは、前に送信されたパケットの確認応答を受信するための時間を可能にするために、送信されるパケットの間のキャップ又は間隔を挿入することによって容易に達成することができる。規格又は仕様は通常、パケットの間の最小限の間隔を指定し、例えば、８０２．１１規格は、パケット間の最小間隔として３４０マイクロ秒を指定している。したがって、送信されるパケットの間に少なくとも３４０マイクロ秒の間隔を挿入することにより、８０２．１１  ＤＵＴ  ５０４は、リンクが存在し、機能していることを想定する。ＶＳＧ  ５０６は、パケットの送信に対して返された認証応答を単に無視する。
【００３１】
リンクを確立するための、外部装置、例えば、ゴールデンカードの使用に代わるものは、ＤＵＴ  ５０４をリンク状態にあると「見せかける」ことである。ＶＳＧ  ５０６は、リンクが確立されたものと想定するようにＤＵＴ  ５０４を見做すために、パケットの適切なリンク確立シーケンスをＤＵＴ  ５０４に送信してもよい。例えば、ＶＳＧ  ５０６は、８０２．１１  ＤＵＴ  ５０４がリンクが確立しているように見せかけるように、８０２．１１規格による、パケット内のリンク確立シーケンスを生成してもよい。パケットのリンク確立シーケンスの送信後、ＶＳＧ  ５０６はその後、パケットの試験シーケンスを生成し、ＤＰＳ受信機５０２に送信する。
【００３２】
パケットのリンク確立シーケンスと、パケットの試験シーケンスとの間の区別には、２つの方法を使用することができる。ＤＵＴ  ５０４から適切に受信されたパケットの数を読むために、受信されたパケットの数が増加し始めた（例えば、リンクが確立される）ときに、第１の方法は、ＶＳＧ  ５０６を中止又は停止する。典型的には接続が確立される方法は、ＶＳＧ  ５０６が、リンクのマスターであることを確実にするため、ＶＳＧ  ５０６を僅かに停止することで非同期的リンクに関して問題が生じることはない。パケットのリンク確立シーケンスの送信後に、ＤＵＴ  ５０４から適切に受信されたパケットの数を読みとるために、送信が僅かに中止されることがある。パケットの試験シーケンスの後に適切に受信されたパケットの合計数は、パケットのリンク確立シーケンスの送信から受信され、適切に受信されたパケットの数を考慮するように、調節されてもよい。
【００３３】
他の方法は、パケットのリンク確立シーケンスにおいて送信されたパケットの数を知ることにより、リンク確立パケット送信から、適切に受信されたパケットの数を引くことである。より高い電力レベル、及び可能な最低のビットレートにおいて、パケットのリンク確立シーケンスを送信することにより、ほぼ常に、リンクの確立に成功する。ＤＵＴ  ５０４によって全て適切に受信されるものと想定される、リンク確立パケットの既知の数は、パケットの試験シーケンスの送信後に、適切に受信されたパケットの合計数から引かれてもよい。
【００３４】
確立するべきリンクが同期的リンクである状況では、ＶＳＧ  ５０６による送信の停止により注意を払う必要があり得る。しかしながら、当業者は、リンクを失わずに、送信が停止及び再開され得る、リンクプロトコルの位置を容易に特定することができる。送信を僅かに停止し、その後接続を再確立する工程は、内部又は外部トリガー信号と共に、最新のＶＳＧ  ５０６を使用した、比較的単純な作業であるべきである。
【００３５】
データパケット信号受信機の真の感度レベル（例えば、計算されるＰＥＲの予測されるＰＥＲへの適合に基づく）、又は真の感度レベルに対応する適切に受信されたパケットの計算された合計数のいずれかの判定結果を、試験時間を有意に増やすことなく、更に達成するため、異なる電力レベルにおいてパケットを送信するための代替的な手法がとられてもよい。代替的なアプローチは、同じ電力レベルである（よって送信されたパケットに対する変化なし）が、異なって変調された、試験パケットのトレインを送信する。それぞれ他の部分のパケットとは異なる電力レベルのパケットを有する、パケットの送信部分の代わりに、各部分は、他の部分のパケットとは異なる変調で送信及び受信されるパケット部分を有することにより、他の部分とは異なる。しかしながら、この手法の使用は、複数のビットレートをサポートするシステム又は受信機（例えば、ＩＥＥＥ  ８０２．１１システム）を有することを想定している。
【００３６】
本出願において用語「ビットレート」は、「変調」の代わりに使用されてもよいが、ビットレートの変化、又は変調が求めるものは、感度又はＳＮＲの変化である。ビットレートを下げることにより、より良い感度が得られることがあるが、より良い感度は、必ずしもビットレートの低下によって保証されるものではない。ビットレートは、より多くの電力を伝達し、より少ない帯域幅を占めるために下げることができる。したがって、用語「変調」とは、変調の変化が異なる感度を生じるために、より良い用語であり得る。
【００３７】
図６は例えば、一実施形態による、３つの連続的なパケット６１０、６２０、及び６３０の更に別の送信されたシーケンス６０１の例を示す、グラフ６００を例示する。この場合において、図４とは対照的に、３つの連続的なパケット６１０、６２０、及び６３０はそれぞれ、実質的に同じ電力レベルを有し、それぞれ異なるビットレートで送受信される。例えば、パケット６１０、６２０、及び６３０はそれぞれ、同じバイト数を有するが、パケット６１０は時間間隔６４０で送信され、これはパケット６２０の送信時間間隔６５０とは異なり、またパケット６３０の送信時間間隔６６０とも異なる。例えば、時間間隔６４０は５４Ｍｂｐｓと、時間間隔６５０は、４８Ｍｂｐｓと、時間間隔６６０は３６Ｍｂｐｓと、相関する。３つの連続的なパケット６１０、６２０、及び６３０のそれぞれは、同じ電力レベルであるが、異なるビットレートにおいて送受信される。
【００３８】
典型的には、送信されるパケットの電力レベルを同じに維持する一方で、感度（例えば、１０％のＰＥＲ）は、ＤＰＳ受信機５０２のビットレートのそれぞれと対応して見出されてもよい。例えば、受信機５０２は、５４Ｍｂｐｓで送信されるパケットを受信するために、−７５ｄＢｍの感度を、４８Ｍｂｐｓで送信されるパケットを受信するために、−７８ｄＢｍの感度を、３６Ｍｂｐｓで送信されるパケットを受信するために、−８０ｄＢｍの感度を、有してもよい。送信されるパケットの電力レベルが−７８ｄＢｍに設定されると、３６Ｍｂｐｓで送信されるパケットのほとんど又は全てを、４８Ｍｂｐｓで送信されるパケットの一部を、５４Ｍｂｐｓで送信されるパケットの極僅かを受信するものと予測される。したがって、例えば、−７８ｄＢｍの電力レベルを有するパケットを受信する−７８ｄＢｍの感度を備えるＤＰＳ受信機５０２は、３６Ｍｂｐｓで送信される１００個のパケットの全て、４８Ｍｂｐｓで送信される１００個のパケットのうちの９０個を受信し、５４Ｍｂｐｓにおいて送信される１００個のパケットのいずれも受信しないことが予測され得る。受信機５０２が−７８ｄＢｍの感度を有する場合、送信される３００個のパケットのうち、１９０個が適切に受信されることが予測される。受信機５０２の感度がより低いとき（例えば、−７５ｄＢｍ）、３００個の送信されるパケットの１９０個未満が適切に受信されるものと予測される。受信機５０２の感度がより良いとき（例えば、−８０ｄＢｍ）、３００個の送信されるパケットの１９０個超が適切に受信されるものと予測される。複数のＤＰＳ受信機５０２の試験において、既定の数の送信されるパケットから（部分が異なるデータビットレートで送信されるようにして送信される）、適切に受信される計算された合計パケット数が、各ＤＰＳ受信機５０２について収集されてもよい。収集されたデータは、試験されるＤＰＳ受信機５０２の感度の変化の方向及び／又は変化の割合を示すために使用され得る。この最終結果は、図２のプロセスにより達成される最終結果と非常に似ている。
【００３９】
上記から、試験パケットの群の単一の送信が受信され、この試験パケットは同じ電力であるが異なるビットレートで送信される。ＤＰＳ受信機５０２によって受信されるとき、適切に受信されたデータパケットの合計数が、既定の数と比較され得ることが理解されるべきである。上記の例により示されるように、適切に受信されたパケットの合計数は、受信機５０２の真の感度と密接に相関していることがある。したがって、試験されるＤＰＳ受信機５０２の感度の変化の方向及び変化の割合は、適切に受信されたパケットの合計数を追跡することにより、追跡することができる。
【００４０】
図７は、上記の実施形態に記載の、ＤＰＳ受信機５０２の感度レベルを測定する方法７００の例を記載するフローチャートを例示する。ブロック７０２において、方法７００は、複数のデータパケットをＤＰＳ受信機５０２に送信することによって開始する。データパケット信号はそれぞれ、本質的に同じ電力レベルを有するが、それぞれは、少なくとも２つの異なるビットレート又は部分の１つのビットレートにおいて送信される。ブロック７０４において、ＤＰＳ受信機５０２は、複数の送信されたデータパケット信号を受信する。複数のデータパケット信号の少なくとも２つの部分が受信され、各部分は、本質的に同じ電力レベルをもつパケットを有する。受信される部分のパケットは、別の部分のパケットの送信ビットレートとは異なる、同じビットレートで送信される。ブロック７０６において、適切に受信されるパケットの合計数が、ＤＰＳ受信機５０２により受信される複数のデータパケット信号から計算される。ブロック７０８において、適切に受信されるパケットの合計数が、既定の数と比較される。適切に受信されたパケットの合計数が既定の数と同等以上である場合、ＤＰＳ受信機５０２は感度試験に合格し、又はそうでない場合は感度試験に不合格する。ブロック７１０において、試験結果（合否）、及び適切に受信されたパケットの合計数が、試験者又はユーザーによって利用可能となり、方法７００は終了する。
【００４１】
別の実施形態において、ブロック７０８において、適切に受信されたデータパケットの合計数が、データパケット信号受信機の感度を判定するために使用される。データパケット信号受信機は、既定の感度に基づいて試験に合格又は不合格し得る。ブロック７１０において、データパケット信号受信機の感度、及び／又は試験結果は、ユーザー又は試験者に戻される。
【００４２】
図２の方法２００は、異なるビットレートにおいてパケットを受信する、受信機の能力又は不能力により、図７の方法７００よりもより柔軟であり得る。しかしながら、異なるデータビットレートにおいて受信することができる受信機を試験するとき、ＶＳＧの代わりにＤＵＴ通信装置を使用するにあたって、方法７００を実施することによる利益がもたらされ得る。通信装置は典型的には、同じ電力レベルを維持しながら、異なるデータレートのパケットを容易に送信することができる。例えば、いわゆる「ゴールデンユニット」は、パケットを生成するために、ＶＳＧの代わりに使用されてもよい。ゴールデンユニットは典型的には、パケットごとに出力電力を変更することはできないが、通常は、パケットごとに変調（例えば、データビットレート）を容易に変更することができる。したがって、送信されるパケットの電力出力を同じに維持しながら、ビットレートを変更する手法が、ゴールデンユニットで試験する際には有用である。ゴールデンユニットは、通常良好な特性の装置（この場合、送信又は発生源）を使用ことによりこの名前を有する（すなわち、「ゴールデンユニット」という名前）。
【００４３】
図２及び図７の方法が組み合わされ得ることが理解されるべきである。このようにして、個別に送信されたパケットの電力は、所望の間隔を達成するために変更されてもよい。例えば、図６において先に記載されるように、−８０ｄＢｍで受信されるパケットの部分が、これに代わり、−８１ｄＢｍで受信される場合、３６Ｍｂｐｓの信号から１ｄＢを引くことによって行うことができる。
【００４４】
２つの方法を組み合わせることによって、動的試験範囲を増加させる必要性を満たす能力をもたらすことができる。例えば、送信される信号のノイズが測定に影響しないことを確実にするために、４０ｄＢのＳＮＲが必要であることを想定する。ＶＳＧが６０ｄＢの動的範囲を有するとき、電力は、４０〜６０ｄＢ（２０ｄＢの範囲）で変化し得るが、ＩＥＥＥ  ８０２．１ａ／ｇのものなどの信号においては、信号のピーク−平均は１０ｄＢとされる。したがって、ＶＳＧは、一定のＲＦゲインに関し、１０ｄＢの動的範囲にわたってのみ、効果的に電力を変更することができる。試験システムにおいて動的範囲を更に増加させることは非常に高くつく（例えば、電力及び費用の両方に関し）場合がある。図２及び図７の２つの方法を組み合わせ、電力を下げる代わりに、変調又はデータビットレートを増加させることによって、信号対雑音比（ＳＮＲ）を低減させる必要なく、試験の感度を更に増加させてもよい（より高い動的範囲を得る）。
【００４５】
加えて、方法の組み合わせは、ＲＦチップ内のゲイン工程を試験するために使用され得る。例えば、受信機の前端部における低雑音増幅器（ＬＮＡ）が、２つの異なるゲインを有する場合、感度は高いゲイン及び低いゲインの両方において試験され得る。これは、例えば、２０ｄＢ範囲をカバーする、パケットトレインを使用することによってＶＳＧにおける同じ信号を使用して行うことができる。電力のスケーリングのみを行うと、ＳＮＲ（ＶＳＧに依存する）の問題が生じる場合があるが、変調と電力を組み合わせると、電力の変動が制限された試験において、２０ｄＢ動的範囲に容易に到達し得る。当然、高ゲインＬＮＡ（最良の感度）が損失なしに最高のパケットレベルを受信し、低ゲインは、低いレベルのみを受信するため、試験レベル（部分のビットレート）が変化する。更に、これは、試験の限度が適宜調節される限り、許容可能である。単一のパケットトレインを使用して試験を行うことには、ＶＳＧシステムゲインを長い時間が必要とされる場合に、実行が僅かに早くなるという追加的な利益があり、この場合、ゲインは一度のみ調節されればよい。
【００４６】
図８は、本発明の別の実施形態により、複数のＤＵＴ（各５０４ａ、５０４ｂ、及び５０４ｃ）の複数のＤＰＳ受信機（５０２ａ、５０２ｂ、及び５０２ｃ）のそれぞれの感度レベルを測定するように構成された、試験システム８００の例のブロック図を例示する。試験システム８００は、図５に関して先に記載されたものと同様に構成される。しかしながら、送信装置５１０がここで使用されて、複数のデータパケット信号を電力スプリッター８０１に送信し、その信号はその後複数のＤＰＳ受信機５０２の同時試験の間に、複数のＤＰＳ受信機５０２によって受信される。この複数のデータパケット信号は、例えば、様々な電力レベル、ビットレート、及び／又は変調における複数のデータパケットを含む、単一送信として、送信され得る。当業者により理解されるように、各ＤＰＳ受信機５０２に送信される信号の電力レベルが既知である限りにおいて、電力スプリッター８０１は、ＶＳＧ  ５０６に受信される信号を、複数のＤＰＳ受信機５０２それぞれに分配するように機能する、他のいずれかの構成要素又は構成要素の組み合わせと置換することができる。好ましい実施形態において、ＤＰＳ受信機５０２は、同じ電力レベルにおいて、電力スプリッター８０１からの送信を受信する。しかしながら、別の実施形態において、複数のＤＰＳ受信機５０２のそれぞれは、異なる（しかし既知の）電力レベルの送信を受信し得る。送信媒体５０８は、ＶＳＧ  ５０６の送信機５１０から電力スプリッター８０１への複数のデータパケット信号の送信を可能にする。同様に、送信媒体８０３は、電力スプリッター８０１から、各ＤＰＳ受信機５０２への複数のデータパケット信号を送信することを可能にする。これらの送信媒体５０８、８０３は、有線又は無線接続を含んでもよく、かつ同一でない場合がある。例えば、送信媒体５０８及び８０３ａは、有線接続を含んでもよく、一方で送信媒体８０３ｂ及び８０３ｃは、無線接続を含む場合がある。本発明の別の実施形態において、ＶＳＧ  ５０６の送信機５１０は、複数のデータパケット信号の送信を、複数のＤＰＳ受信機５０２のそれぞれに、直接送信してもよい。各送信媒体５０８、８０３、及び電力スプリッター８０１における電力変化は、既知であるか、又は容易に測定することができる。したがって、複数のＤＰＳ受信機５０２のそれぞれにより受信される送信の電力レベルは既知である。既定の電力レベルの複数のパケットを含む１つの信号は、ＶＳＧ  ５０６により生成され、各ＤＰＳ受信機８０２によって同時に（又は実質的に同時に）受信される。複数のＤＰＳ受信機のそれぞれにより受信される送信の信号特性（例えば、電力レベル、ビットレート、及び／又は変調）はしたがって、複数のＤＰＳ受信機のそれぞれの感度レベルを同時に測定するために、上記の実施形態に従って使用され得る。この方法により、同時に又は並行して試験することにより、複数のＤＰＳ受信機を試験するために必要な時間が短縮されるという追加的な利益がもたらされる。
【００４７】
図９は、本明細書において記載される実施形態により、複数のデータパケット信号受信機それぞれの感度レベルを同時に測定する方法９００の例を記載するフローチャートを例示する。複数のデータパケット信号受信機の各１つ（例えば、図８のＤＰＳ受信機５０２ａ、５０２ｂ、及び５０２ｃのそれぞれ）は、１つ以上の予測されるパケットエラー率（ＰＥＲ）（例えば、図１の典型的なＰＥＲ曲線１０２の群）対複数のデータパケット信号電力レベルにより画定される感度特性を有する。方法９００は開始ブロック９０２で始まり、複数のデータパケット信号が各データパケット信号受信機に同時に送信される。処理はブロック９０４へと進み、これは、複数のデータパケット信号電力レベルの、第１及び第２の電力レベルをそれぞれ有する、第１及び第２部分として、各ＤＰＳ受信機により複数のデータパケット信号を受信することを含む。第１部分に対応する第１電力レベル（例えば、−７２ｄＢｍ）は、所定の電力レベル（例えば、−７５ｄＢｍ）よりも高く、第２部分と対応する第２電力レベル（例えば、−７８ｄＢｍ）は、所定の電力レベルよりも低い。ブロック９０６において、各ＤＰＳ受信機に関し、第１及び第２部分から、適切に受信されるデータパケット信号の合計数が計算される。処理はブロック９０８へと進み、これは各ＤＰＳ受信機に関し、適切に受信されたデータパケット信号の合計数に基づき、１つ以上の（例えば、図１の典型的なＰＥＲ曲線の群などの、複数の感度曲線）予測されるパケットエラー率（ＰＥＲ）対複数のデータパケット信号電力レベルから、１つの感度（例えば、図１の曲線１０４などの１つの曲線又は感度）を決定する。また、好ましい実施形態において、この測定は、各ＤＰＳ受信機に関して並行して、実質的に同時に行われる。あるいは、この測定は、逐次的に行われてもよい（例えば、ＤＰＳ受信機全てを試験するために必要な時間の増加と引換に、測定を行うために必要な資源を低減させるため）。ブロック９１０において、方法９００は終了し、各ＤＰＳ受信機に関して測定された感度が、試験評価及び感度追跡のために提供される。
【００４８】
別の実施形態において、ブロック９０８における処理は、各ＤＰＳ受信機に関して感度、又は感度曲線自体を測定する代わりに、各ＤＰＳ受信機に関して、適切に受信されたデータパケット信号の合計数を、既定の数と比較する。本方法の、適切に受信されたデータパケット信号の計算された合計数は、感度と緊密に関連する。計算された適切に受信されたデータパケット信号の合計数が既定の数と同等以上である場合、データパケット信号受信機は試験に合格し、そうでない場合はデータパケット信号受信機は試験に不合格となる。計算された、適切に受信されたデータパケットの合計数は、受信機感度の変化の方向及び割合を追跡するために、ある受信機から次の受信機へと更に追跡される。同様に、受信機の感度の変化の方向及び割合を決定するために、同時に試験されたＤＰＳ受信機（例えば、図８のＤＰＳ受信機５０２ａ及び８５２ｂ）の間で、計算された、適切に受信されたデータパケットの合計数が比較され得る。ブロック９１０において、本方法９００は終了し、各受信機は試験に合格又は不合格となる。
【００４９】
上記により理解されるはずであるが、図８に示されるような試験システム８００は、上記において開示される各実施形態と共に使用されてもよく、これにより、複数のＤＰＳ受信機は、様々な電力レベル、ビットレート、及び／又は変調の、複数のデータパケットの信号送信を使用して、実質的に同時に試験されてもよい。この信号送信は、複数の試験中のＤＰＳ受信機５０２の１つ１つにより受信される。各ＤＰＳ受信機（例えば、５０２ａ、５０２ｂ、及び５０２ｃ）により適切に受信されるパケットの合計数が測定されて、各ＤＰＳ受信機の感度レベルを個別に測定するために使用される。これは、任意の数のＤＰＳ受信機が一度に全て試験できるため、試験時間の実質的な低減を可能にする。あるいは、複数のデータパケット信号の第１送信は、第１  ＤＰＳ受信機（例えば、図８のＤＰＳ受信機５０２ａ）、又はＤＰＳ受信機の第１群（例えば、図８のＤＰＳ受信機５０２ａ及び５０２ａ）のいずれかに送信されてもよい。複数のデータパケット信号の第２送信はその後続いて、第２  ＤＰＳ受信機（例えば、図８のＤＰＳ受信機５０２ｃ）又は受信機の群に送信されてもよい。第２信号は、第１  ＤＰＳ受信機、又はＤＰＳ受信機の第１群の感度レベルに関する測定が行われている間、又は新しい受信機又は受信機の群が、例えば試験操作者によって設定される間に、送信されてもよい。これは、装置設定時間が、各試験において必要とされる時間と同程度である際に、試験時間を更に低減するように、ＤＰＳ受信機をほぼ連続的試験することを可能にする。
【００５０】
多くの利益の中でもとりわけ、本明細書において記載される実施形態は、試験時間を有意に増加させることなく、試験中の１つ以上のデータパケット信号の真の感度レベル、又は真の感度レベルに相関する、適切に受信されたパケットの計算された合計数の測定をもたらす。加えて、試験されるデータパケット信号受信機に関し、適切に受信されたパケットの、最良適合感度曲線であっても、計算された合計数であっても、真の感度データが蓄積されて、後の分析のために追跡される。例えば、追跡される感度の傾向又は方向（例えば、感度の悪化又は改善）に留意することにより、傾向の原因が見出されることがあり、例えば、傾向は受信機の構成要素の供給元の変化と相関することがある。
【００５１】
本発明の発明を実施するための形態、及び本明細書において記載される実施例は、例示及び説明目的のためのみ提示されているのであって、制限するためのものではない。例えば、記載される動作は、任意のいずれかの方法により行われ得る。方法工程は、記載される動作及び結果を依然としてもたらす、任意の公的な順序で行われ得る。したがって、本発明は、上記に記載され、ここで請求される、背後にある基本的な原理の思想及び範囲内にある、いずれかの及び全ての修正、バリエーション、又は同等物を網羅することが想到される。
【図１】
2015520547.tif 000003
【図２】
2015520547.tif 000004
【図３】
2015520547.tif 000005
【図４】
2015520547.tif 000006
【図５】
2015520547.tif 000007
【図６】
2015520547.tif 000008
【図７】
2015520547.tif 000009
【図８】
2015520547.tif 000010
【図９】
2015520547.tif 000011
【国際調査報告】
2015520547.tif 000012
2015520547.tif 000013